(57)【要約】      （修正有）【課題】需給内の温度補償システム及び方法を提供する。【解決手段】デバイスの第１の部分がデバイスの第１の区画から構成され、デバイスの第２の部分がデバイスの第２の区画から構成され、デバイスのセンサからデバイスの第１の部分に関連する温度及び電流を受信するステップと、デバイスの第１の部分に関連する少なくとも１つの以前に測定された温度及び電流とデバイスの第２の部分に関連する以前に測定された温度及び電流との相関に少なくとも部分的に基づいてデバイスの第２の部分に関連する予測温度を判定するステップを含む。【選択図】図１Ａ
2015078936.tif 000002
【特許請求の範囲】
【請求項１】
コンピュータ実行可能命令を保存する少なくとも１つのメモリと、
前記コンピュータ実行可能命令を実行するように構成され、前記少なくとも１つのメモリにアクセスするように構成された少なくとも１つのプロセッサと、を備え、前記少なくとも１つのプロセッサがコンピュータ実行可能命令を実行して、
デバイスの第１の部分に関連する少なくとも１つの以前に測定された少なくとも１つの温度及び電流を受信し、
前記デバイスの前記第１の部分に関連する少なくとも１つの以前に測定された温度及び電流と、前記デバイスの第２の部分に関連する以前に測定された温度及び電流との相関に少なくとも部分的に基づいて前記デバイスの第２の部分に関連する予測温度を判定するように構成されたシステム。
【請求項２】
前記デバイスの前記第１の部分が前記デバイスの第１の区画から構成され、前記デバイスの前記第２の部分が前記デバイスの第２の区画から構成される請求項１に記載のシステム。
【請求項３】
前記デバイスの前記第２の部分に関連する、相関による前記予測温度を使用して前記デバイスの前記第２の部分に関連するデータが調整される請求項２に記載のシステム。
【請求項４】
温度センサが前記デバイスの前記第１の区画内に配置される請求項１に記載のシステム。
【請求項５】
前記デバイスが需給メータ又はエネルギメータである請求項１に記載のシステム。
【請求項６】
前記データ出力がエネルギ消費データを含む請求項３に記載のシステム。
【請求項７】
前記第１の部分に関連する少なくとも１つの以前に測定された温度及び電流と、前記第２の部分に関連する少なくとも１つの以前に測定された温度及び電流との相関が異なる所定の時間間隔で測定される請求項１に記載のシステム。
【請求項８】
前記相関が、以下の少なくとも１つ、すなわち、異なる所定の時間間隔でデバイスの第１の部分及びデバイスの第２の部分に関連する参照テーブル、グラフ、伝達関数、又は一連の温度及び電流を含む請求項１に記載のシステム。
【請求項９】
デバイスから前記デバイスの第１の部分に関連する温度及び電流を受信するステップと、
前記デバイスの第１の部分に関連する少なくとも１つの以前に測定された温度及び電流と、前記デバイスの第２の部分に関連する以前に測定された温度及び電流との相関に少なくとも部分的に基づいて前記デバイスの第２の部分に関連する予測温度を判定するステップと、を含む方法。
【請求項１０】
前記デバイスの前記第１の部分が前記デバイスの第１の区画から構成され、前記デバイスの前記第２の部分が前記デバイスの第２の区画から構成される請求項９に記載の方法。
【請求項１１】
前記デバイスの前記第２の部分に関連する、相関による前記予測温度を使用して前記デバイスの前記第２の部分に関連するデータが調整される請求項１０に記載の方法。
【請求項１２】
温度センサが前記デバイスの前記第１の区画内に配置される請求項９に記載の方法。
【請求項１３】
前記デバイスが需給メータ又はエネルギメータである請求項９に記載の方法。
【請求項１４】
前記データ出力がエネルギ消費データを含む請求項１３に記載の方法。
【請求項１５】
前記第１の部分に関連する少なくとも１つの以前に測定された温度及び電流と、前記第２の部分に関連する少なくとも１つの以前に測定された温度及び電流との相関が異なる所定の時間間隔で測定される請求項９に記載の方法。
【請求項１６】
前記相関が、以下の少なくとも１つ、すなわち、異なる所定の時間間隔でデバイスの第１の部分及びデバイスの第２の部分に関連する参照テーブル、グラフ、伝達関数、又は一連の温度及び電流を含む請求項９に記載の方法。
【請求項１７】
少なくとも１つのプロセッサによって実行されると、少なくとも１つのプロセッサが、
需給メータのセンサから前記需給メータの第１の部分の温度を受信し、
前記需給メータのセンサから前記需給メータの第１の部分の電流を受信し、
前記第１の部分に関連する以前に測定された温度及び電流と、前記需給メータの第２の部分に関連する以前に測定された温度及び電流との相関に少なくとも部分的に基づいて前記デバイスの第２の部分に関連する予測温度を判定するステップと、を含む動作を実行するように設定するコンピュータ実行可能命令を保存する１つ又は複数のコンピュータ読み取り可能媒体。
【請求項１８】
前記第１の部分が第１の区画から構成され前記第２の部分が第２の区画から構成される請求項１７に記載の１つ又は複数のコンピュータ読み取り可能媒体。
【請求項１９】
前記動作が、
前記第２の部分に関連する前記予測温度に少なくとも部分的に基づいて、前記需給メータに関連するデータ出力を調整するステップを更に含む請求項１７に記載の１つ又は複数のコンピュータ読み取り可能媒体。
【請求項２０】
前記相関が、以下の少なくとも１つ、すなわち、異なる所定の時間間隔でデバイスの第１の部分及びデバイスの第２の部分に関連する参照テーブル、グラフ、伝達関数、又は一連の温度及び電流を含む請求項１７に記載の１つ又は複数のコンピュータ読み取り可能媒体。
【発明の詳細な説明】
【技術分野】
【０００１】
本開示の実施形態は一般に需給メータ（ユーティリティメータ）に関し、特に需給計メータ内の温度補償システム及び方法に関する。
【背景技術】
【０００２】
需給メータとしても知られるエネルギメータは、異なる目的を果たす異なるモジュールを有することができる。例えば、需給メータは計量モジュール、給電モジュール、継電器、変流器（ＣＴ）などを有することができる。幾つかのメータでは、モジュールは需給メータ内の同じ区画、又は異なる区画内にあることができる。
【発明の概要】
【発明が解決しようとする課題】
【０００３】
需給メータの精度は温度に対して、特に、ある場合には温度に対する変流器の挙動により変化することがある。従来型の１つの需給メータでは、計量モジュールが変流器の近傍に、又は同じ区画内にあるため、オンチップセンサなどの計量モジュールの近傍に位置する温度センサが該当する変流器のおおよその温度を測定する。しかし、ある場合には温度センサが需給メータの１つの区画内に位置し、該当する変流器が需給メータの別の区画内に位置することがあり、それによって、温度センサが需給メータの異なる区画内にあるため、該当する変流器の実際の温度を測定する際に問題が生じる。別の場合には、需給メータの異なる区画内に複数の温度センサがあり、又は各々の変流器又は変流器セットに関連するそれぞれの温度センサがあるため、需給メータの製造コストが高くなることがある。
【課題を解決するための手段】
【０００４】
本開示のある実施形態によれば、上記の必要性及び／又は問題点の幾つか又は全部に対処し得る。ある実施形態は、需給メータ内の温度補償システム及び方法を含み得る。本開示の一実施形態によれば、システムが開示される。システムは、コンピュータ実行可能命令を保存する少なくとも１つのメモリを含むことができる。システムは更に、少なくとも１つのメモリにアクセスするように構成された少なくとも１つのプロセッサを含むことができる。少なくとも１つのプロセッサは、コンピュータ実行可能命令を実行して、デバイスの第１の部分に関連する温度及び電流を受信するように構成されている。プロセッサはコンピュータ実行可能命令を実行して、デバイスの第１の部分に関連する少なくとも１つの以前に測定された温度及び電流と、デバイスの第２の部分に関連する以前に測定された温度及び電流との相関に少なくとも部分的に基づいてデバイスの第２の部分に関連する予測温度を判定するように構成されている。
【０００５】
本開示の別の実施形態によれば、方法が開示される。方法は、デバイスのセンサからデバイスの第１の部分に関連する温度及び電流を受信するステップを含むことができる。方法は更に、デバイスの第１の部分に関連する少なくとも１つの以前に測定された温度及び電流と、デバイスの第２の部分に関連する以前に測定された温度及び電流との相関に少なくとも部分的に基づいてデバイスの第２の部分に関連する予測温度を判定するステップを含むことができる。
【０００６】
更に、本開示の別の実施形態によれば、少なくとも１つのプロセッサにより実行されると、少なくとも１つのプロセッサがエネルギメータの第１の部分温度をエネルギメータのセンサから受信する動作を行うように少なくとも１つのプロセッサを構成するコンピュータ実行可能命令を保存する１つ又は複数のコンピュータ読み取り可能媒体が開示される。少なくとも１つのプロセッサは更に、エネルギメータのセンサからエネルギメータの第１の部分に関連する電流を受信する動作をも行うことができる。更に、少なくとも１つのプロセッサは、第１の部分に関連する以前に測定された温度及び電流と、デバイスの第２の部分に関連する以前に測定された温度及び電流との相関に少なくとも部分的に基づいてデバイスの第２の部分に関連する予測温度を判定する動作を行うことができる。
【０００７】
本開示のその他の実施形態、システム、方法、装置の態様及び特徴は、当業者には以下の詳細な説明、添付図面、及び添付の特許請求の範囲から明らかになろう。
【０００８】
添付図面を参照して詳細な説明を記載するが、図面は必ずしも縮尺通りではない。異なる図面で同じ参照番号が用いられる場合は同様の、又は同一の要素を示すものである。
【図面の簡単な説明】
【０００９】
【図１Ａ】本開示の別の実施形態による例示的装置、又は需給メータを示す図である。
【図１Ｂ】図１に示す装置又は需給メータの例示的コンポーネントを示す図である。
【図２】本開示の別の実施形態による例示的システムのアーキテクチャ図である。
【図３】本開示の別の実施形態による例示的方法のフローチャートである。
【発明を実施するための形態】
【００１０】
次に、本開示の全てではなく幾つかの実施形態を示す添付図面を参照して、本開示の例示的実施形態をより詳細に説明する。本開示は異なる多くの形態で実施されてもよく、本明細書に記載の実施形態に限定されるものと解釈されるべきではない。むしろ、これらの実施形態は、本開示が適用可能な法的要件を満たすようにするために提示されるものである。前述のように、同様の番号は図面全体を通して同様の要素を指す。
【００１１】
本開示の例示的実施形態は、特に需給メータ内の温度補償に向けられている。概観として、ある需給メータは計量モジュール、給電モジュール、継電器、及び変流器（ＣＴ）などの１つ又は複数のモジューを含むことができる。幾つかの実施形態では、モジュールの幾つか、又は全部は需給メータのそれぞれの区画、又は部分内にあってよい。需給メータの第１の部分に関連する以前に測定された温度と、需給メータの第２のヴヴンに関連する以前に測定された別の温度との相関を利用して、第１の区画内の温度及び電流を受信し、又は測定した後に、第２の区画内の予測温度を得ることができる。例えば、需給メータ内の温度の予測前に、需給メータの第１の部分に関連する以前に測定された温度と、需給メータの第２の部分に関連する以前に測定された別の温度との相関を判定することができる。需給メータでの予測温度が判定される場合、需給メータの第１の部分での温度を受信し、又は測定することが可能である。以前に判定された相関を利用して、需給メータの第２の部分についての予測温度を判定することができる。このようにして、需給メータに取り付けられた単一の温度センサを使用して、需給メータの異なる部分全体にわたって１つ又は複数の温度を予測することができる。予測は、需給メータの少なくとも２つの部分の以前に測定された温度の少なくとも１つの相関に基づいて判定することができる。予測された温度は、データ出力などの需給メータに関連する様々な出力を調整するために使用可能であり、ひいては需給メータの精度を高める。このようにして、温度変化による需給メータの又は装置の精度の変動を補償するために１つ又は複数の調整を実装可能である。
【００１２】
本開示のある実施形態の技術的効果には、需給メータの精度の向上が含まれてもよい。特に、本開示のある実施形態の技術的効果には、需給メータの様々な部分又は区画内の温度測定の精度の向上が含まれてもよい。温度測定の精度がより高まると、それに応じて需給メータからの様々なデータ出力を調整することができる。本開示のある実施形態の更に別の技術的効果には、需給メータ内の温度センサの数を減らし、ひいては製造、組み立て、及びメインテナンスに必要な需給メータ内のコンポーネントの数を低減することが含まれてもよい。更に、本開示のある実施形態の技術的効果には、圧力、相対湿度など、測定可能なその他の物理的特性などの需給メータの様々な部分又は区画内のその他の測定の精度の向上が含まれてもよい。圧力、相対湿度など、ある種の物理的特性の精度がより高まると、それに応じて需給メータからの様々なデータ出力を調整することができる。
【００１３】
図１Ａは、需給メータ内の温度補償のための技術を実装し得る需給メータ又は装置１００のある例示的コンポーネントを示している。図１Ａに示すように、例示的装置１００は、１つ又は複数の部分又は区画１０４Ａ〜１０４Ｎ、１つ又は複数の変流器（ＣＴ）１０６Ａ〜１０６Ｎ、及び１０４Ａなどの少なくとも１つの部分又は区画内の少なくとも１つの温度センサ１０８を有するハウジング１０２を含むことができる。ハウジング１０２の各々の部分又は区画１０４Ａ〜１０４Ｎは、需給メータ１００用の１つ又は複数のコンポーネントを含むことができる。幾つかの実施形態では、仕切り又は壁が、隣接する部分又は区画１０４Ａ〜１０４Ｎを各々の部分又は区画から区分してもよい。別の実施形態では、隣接する部分又は区画１０４Ａ〜１０４Ｎから各々の部分又は区画を区分する仕切り又は壁がなくてもよい。いずれの場合も、ハウジング様々な部分又は区画内で動作する熱散逸部品の動作特性により、隣接する部分又は区画１０４Ａ〜１０４Ｎには温度差が存在することがある。
【００１４】
例示的変流器１０６Ａ〜１０６Ｎは、需給メータ又は装置１００に関連する図２に示すようなプロセッサ又はコントーラに電流測定値を提供することができる。同様に、温度センサ１０８は、需給メータ又は装置１００に関連する図２に示すようなプロセッサ又はコントーラに１０６Ａのようなそれぞれの変流器、又は１０４Ａのようなそれぞれの部分又は区画の温度測定値を提供することができる。
【００１５】
図１Ａに示す実施形態では、ハウジング１０２の部分１０４Ａ内の変流器１０６Ａの１つに取り付けられた温度電差１０８が示されている。別の実施形態では、温度センサ１０８を１０６Ｎなどの別の変流器に、給電モジュール、継電器などの需給メータの異なるコンポーネントに、又はハウジング１０２の１０４Ｎなどの別の部分又は区画に取り付けることができる。いずれの場合も、温度センサ１０８は、需給メータ又は装置内の、又はその上の所定の位置の特定の時点での、又は所定の時間間隔での温度などの温度を検知し、又はその他の方法で検出することができる。図１Ａに示す例示的温度センサ１０８は、Ｊタイプ熱電対、又はその他のタイプの熱電対又は温度検知デバイスであってよい。
【００１６】
図１Ｂは、図１Ａに示す需給メータ又は装置用の例示的計量モジュール１１０を示している。計量モジュール１１０は、出力又はディスプレーコンポーネント１１２、及び出力又はディスプレーコンポーネント１１２を取り付ける基板１１４を有するチップであってよい。計量モジュール１１０又はチップは、図１Ａの１つ又は複数の変流器１０６Ａ〜１０６Ｎ、及び温度センサ１０８の幾つか又は全部と電気的に通信可能である。
【００１７】
図示した実施形態では、１０８と同様の温度センサ１１６は、図１Ａに示す需給メータ又は装置のハウジング１０２内に、又はハウジング１０２に取り付けられるチップ又は計量モジュール１１０に取り付けることができる。幾つかの実施形態では、オンチップ温度センサでもよい。
【００１８】
本開示のある実施形態によれば、図１Ａ及び１Ｂに示すような需給メータ及び関連コンポーネントの現場又は営業運転に先立ち、需給メータの１つ又は複数の部分又は区画についての温度と電流との相関が判定される。相関はラボ開発テスト中に判定されてもよく、相関は図２に示すようなプロセッサ又はコントローラによって関連する、又はその他の方法でアクセス可能なメモリに保存することができる。一実施形態では、需給メータのそれぞれのコンポーネント、部分又は区画全体を通る電流の流れも測定されるラボ開発テスト中に、需給メータの様々なコンポーネント、部分又は区画から複数の温度測定を行うことができる。様々な温度及び電流の流れの測定は所定の時間間隔などの時間にわたって行うことができる。温度、電流の流れ、及び時間測定の幾つか又は全部は、図２に示すようなプロセッサ又はコントローラに関連するメモリに保存されることができ、又はそれ以外に参照テーブル、グラフ、又は図２に示すようなプロセッサ又はコントローラによってアクセス可能なその他のデバイスに保存されもよい。
【００１９】
例えば、所与の電流の流れＩＩが需給メータを通る場合、ハウジング１０２の１０４Ｎなどの第１の部分又は区画内の計量モジュール１１０又はチップに取り付けられた図１の温度センサ１１６などの温度センサから、ｔ１の時点での第１の温度（Ｔ１−１）を得ることができる。第１の電流の流れ（ＩＩ）は計量モジュール１１０又は場合によっては計量モジュール１１０に取り付けられた電流センサによって得ることができる。ハウジング１０２の１０４Ａなどの第２の部分又は区画内の変流器１０６Ａに取り付けられた図１Ａの温度センサ１０８と同様の温度センサから、ｔ１の時点での第２の温度（Ｔ１−２）を得ることができる。同じ所与の電流の流れ（ＩＩ）で、温度（Ｔ２−１、Ｔ２−２）、及び電流の流れの測定値（ＩＩ)を、この場合も任意の数の時点（ｔＮ）で測定可能である。変流器（ＣＴ）などの任意の数のその他のコンポーネントについて任意の数の時点で所与の電流の流れ測定（Ｉ（Ｎ））で任意の数の異なる温度（Ｔ）を得ることができる。いずれの場合も、任意の数の所定の時間間隔で測定された温度（Ｔ）と電流の流れの測定値（Ｉ）との相関を、図２に示すようなプロセッサ又はコントローラに関連するメモリに保存することができ、又はそれ以外に参照テーブル、グラフ、又は図２に示すようなプロセッサ又はコントローラによってアクセス可能なその他のデバイスに保存してもよい。
【００２０】
一実施形態では、所定の時間間隔は約５分でよい。別の実施形態では、所定の時間間隔は５分未満又は５分以上でよい。本開示の実施形態には任意の所定の時間間隔を適用できることが理解されよう。
【００２１】
図２は、図１の需給メータ又は装置１００の例示的環境又はシステム２００を示している。図２では、システム２００は１つ又は複数の需給メータ（２０２（１）〜２０２（Ｎ）、ネットワーク２０４、及び任意選択のサーバー２０６又はホストコンピュータを含むことができる。需給メータ（２０２（１）〜２０２（Ｎ）は、図１の需給メータ又は装置１００と同類のものでよい。各需給メータ（２０２（１）〜２０２（Ｎ）はネットワーク２０４を介してサーバー２０６又はホストコンピュータと通信可能である。幾つかの実施形態では、需給メータ（２０２（１）〜２０２（Ｎ）の幾つか又は全部が互いに通信可能である。本開示の様々な実施形態はこれより少ない、又はこれ以上のシステムコンポーネントを含んでもよく、図２に示す実施形態は例示しているに過ぎないことが理解されよう。
【００２２】
図示した例示的システム２００は、任意選択のサーバー２０６又はホストコンピュータとのネットワーク構成にある複数の需給メータ（２０２（１）〜２０２（Ｎ））を示しており、本開示のある実施形態は、サーバー２０６又はホストコンピュータと通信する２０２（１）などの需給メータによって実装されてもよい。しかし、ある場合には、本開示のある実施形態は、サーバー２０６又はホストコンピュータへのネットワークアクセス、又はこれと通信しない単独の需給メータ２０２（１）内に実装されることもできる。
【００２３】
図２に示す実施形態では、需給メータ２０２（１）は１つ又は複数のセンサ２０８（１）〜２０８（Ｎ）、１つ又は複数のプロセッサ２１０、メモリ２１２、及び通信接続（１つ又は複数）、又はインターフェースを含むことができる。センサ２０８（１）〜２０８（Ｎ）は温度、圧力、相対湿度、電流の流れ、電圧、抵抗などの様々な物理的な特性の環境及び／又は作動センサを含むことができる。各々のセンサ２０８（１）〜２０８（Ｎ）はプロセッサ２１０と通信可能であり、センサ各々のセンサ２０８（１）〜２０８（Ｎ）からのデータ出力はメモリ２１２によって受信され、これに保存可能である。
【００２４】
図２に示す実施形態では、図示したプロセッサ２１０はメモリ２１２と通信可能である。プロセッサ２１０はセンサ２０８（１）〜２０８（Ｎ）からの出力を受信し、これを処理し、又はその他の方法でメモリ２１２に保存することができる。プロセッサ２１０はハードウエア、ソフトウエア、ファームウエア、又はこれらの組み合わせで適宜に実装されてもよい。プロセッサ２１０のソフトウエア又はファームウエア実装は、記載の様々な機能を実施するために適するいずれかの適宜のプログラミング言語で書かれたコンピュータ実行可能、又は機械実行可能命令を含んでもよい。メモリ２１２は、プロセッサ２１０にロード可能且つ実行可能なプログラム命令、並びにこれらのプログラムの実行中にせ静されるデータを保存してもよい。環境又はシステム２００の構成やタイプに応じて、メモリ２１２は（ランダムアクセスメモリ（ＲＡＭ）などの）揮発性、及び／又は（読み出しセッ妙メモリ（ＲＡＭ）フラッシュメモリなどの）不揮発性メモリでよい。システム２００は、磁気記憶媒体、光ディスク及び／又はテープ記憶媒体を含むがこれらに限定されない追加のリムーバブル記憶媒体及び／又はノンリムーバブル記憶媒体を含んでもよい。ディスクドライブ及びこれに関連するコンピュータ読み取り可能媒体は、コンピュータ読み取り可能命令、データ構造、プログラムモジュール、及びコンピューティングデバイス用のその他のデータの不揮発性記憶を行ってもよい。幾つかの実装形態では、メモリ２１２は、スタティックランダムアクセスメモリ（ＳＲＡＭ）、ダイナミックランダムアクセスメモリ（ＤＲＡＭ）又はＲＯＭなどの複数の別のタイプのメモリを含んでもよい。
【００２５】
メモリ２１２、リムーバブル記憶媒体、及びノンリムーバブル記憶媒体は全てコンピュータ読み取り可能記憶媒体の例である。例えば、コンピュータ読み取り可能記憶媒体は、コンピュータ読み取り可能命令、データ構造、プログラムモジュール、又はその他のデータなどの情報を記憶するためのいずれかの方法又は技術に実装される揮発性、不揮発性、リムーバブル、ノンリムーバブル媒体を含んでもよい。メモリ２１２、リムーバブル記憶媒体、及びノンリムーバブル記憶媒体は全てコンピュータ記憶媒体の例である。存在し得る追加のコンピュータ記憶媒体のタイプは、それらに限定されないが、プログラム可能ランダムアクセスメモリ（ＰＲＡＭ）、ＳＲＡＭ、ＤＲＡＭ、ＲＡＭ、ＲＯＭ、電気的に消去可能なプログラマブルリードオンーメモリ（ＥＥＰＲＯＭ）、フラッシュメモリ、又はその他の記憶技術、コンパクトディスクリードオンリーメモリ（ＣＤ−ＲＯＭ）、光学記憶媒体、ディジタル多目的ディスク（ＤＶＤ）、又はその他の光学記憶媒体、磁気カセット、磁気テーク、磁気記憶記体、又はその他の磁気記憶媒体、又は所望の情報を保存するために使用でき、サーバー又はその他のコンピューティングデバイスによりアクセス可能なその他のいずれかの媒体を含んでもよい。上記のいずれかの組む合わせもコンピュータ読み取り可能媒体に含まれよう。
【００２６】
しかし、別の実施形態では、コンピュータ読み取り可能通信媒体は、コンピュータ読み取り可能命令、プログラムモジュール、又は搬送波又はその他の伝送波などのデータ信号内で伝送されるその他のデータを含んでもよい。しかし、本明細書で用いられるコンピュータ読み取り可能記憶媒体は、コンピュータ読み取り可能通信媒体を含まない。
【００２７】
次にメモリ２１０の内容をより詳細に記載すると、メモリ２１０は、オペレーテイングシステム２１６、及び温度及び／又は電流受信モジュール２１８、相関判定モジュール２２０、及びデータ調整モジュール２２２を含む、本明細書で開示される特徴及び態様を実装するための１つ又は複数のアプリケーションプログラム又はサービスを含んでもよい。温度及び／又は電流受信モジュール２１８は、１つ又は複数のセンサ２０８（１）〜２０８（Ｎ）などからの温度及び／又は電流センサ情報を受信するように構成されてもよい。幾つかの実施形態では、温度及び／又は電流受信モジュール２１８は、圧力、相対湿度、電圧、抵抗などを含むがそれらに限定されないある測定可能な物理的な特性などのその他のタイプのセンサ情報を受信することができる。単なる一例として、温度情報は特定の時点又は所定の時間間隔で測定された温度を含んでもよい。更に別の例として、電流情報は特定の時点又は所定の時間間隔で測定された電流の流れを含んでもよい。加えて、相関判定モジュール２２０は、２０２（１）などの需給メータ又は装置の第１の部分又は区画に関連する少なくとも１つの以前に測定された温度及び電流と、２０２（１）などの需給メータ又は装置の第２の部分又は区画に関連する以前に測定された温度及び電流との相関に少なくとも部分的に基づいて、２０２（１）などの需給メータ又は装置第２の部分又は区画に関連する予測温度を判定するように構成されてもよい。更に、データ調整モジュール２２２は、２０２（１）などの需給メータ又は装置の第２の部分又は区画に関連する以前に測定された温度との相関に少なくとも部分的に基づいて、２０２（１）などの需給メータ又は装置に関連するデータ出力を調整するように構成されてもよい。
【００２８】
一実施形態では、相関判定モジュール２２０は、異なる所定の時間間隔でデバイスの第１の部分及びデバイスの第２の部分に関連する参照テーブル、グラフ、伝達関数、又は一連の温度及び電流を含み、又はその他の方法でこれらにアクセスすることができる。例えば、２０２（１）などの需給メータの少なくとも１つの部分又は区画に関連する少なくとも１つの温度測定値の受信後に、相関判定モジュール２２０は、需給メータの第１の部分及び需給メータの第２の部分に関連する以前に測定された温度と電流との相関に少なくとも部分的に基づいて予測温度を判定することができる。一実施例では、第１の部分又は区画での所定の５Ａの電流の流れで以前に測定された４０℃の温度と、第２の部分又は区画での所定の５Ａの電流の流れで以前に測定された４５℃の温度とのｔ１の時点での相関が相関判定モジュール２２０によって用いられ、第１の部分又は区画での所定の２．５Ａの電流の流れで以前に測定された３５℃の温度で、第２の部分又は区画での所定の２．５Ａの電流の流れで４０℃の予測温度を判定することができる。需給メータ又は装置の任意の数の部分又は区画での任意の数の温度を、任意の数の時点又は所定の時間間隔で、任意の数の電流の流れで測定できることが理解されよう。収集された温度、電流の流れ、及び時間測定値に基づいて、相関を判定し、参照テーブル、グラフ、伝達関数、又はその他のデバイスに保存することができる。いずれの場合も、相関に少なくとも部分的に基づいて、相関判定モジュール２２２は、所定の電流で温度測定がなされた部分とは異なる需給メータの部分又は区画の予測温度を判定することができる。
【００２９】
一実施形態では、データ調整モジュール２２２は２０２（１）などの需給メータ又は装置の第２の部分又は区画に関連する予測温度を利用して、２０２（１）などの需給メータ又は装置に関連するエネルギ消費データなどのデータ出力を調整することができる。このようにして、１つ又は複数の調整を実装して、温度変化による需給メータ又は装置２０２（１）の精度の変動を補償することができる。
【００３０】
例示的な環境又はシステム２００は更に、１つ又は複数の需給メータ２０２（１）〜２０２（Ｎ）がネットワーク２０４を介してホストコンピュータと、又は需給メータ２０２（１）〜２０２（Ｎ）間で通信することを可能にする通信接続又はインターフェース２１４を含んでもよい。幾つかの実施例では、ネットワーク２０４は、ケーブルネットワーク、インターネット、無線ネットワーク、セルラーネットワーク、及びその他の専用／共用ネットワークなどの複数の異なるタイプのいずれか１つ、又はそれらの組み合わせを含んでもよい。ネットワーク２０４は、１つ又は複数の専用ネットワーク、インターネットなどの共用ネットワーク、又は２つ以上のデバイス間でデータを伝送するように構成された専用、共用ネットワークの組み合わせであってよい。
【００３１】
サーバー２０６又はホストコンピュータは、パーソナルコンピュータ（ＰＣ）、携帯用又はタブレット型コンピュータ、又はその他のプロセッサ搭載デバイスなどのコンピューティングデバイスでよい。需給メータと同様に、サーバー２０６又はホストコンピュータはメモリ２２４、プロセッサ２２６、及び１つ又は複数の通信接続２２６を含むことができる。これらのコンポーネントは、需給メータ２０２（１）〜２０２（Ｎ）に関して前述したものと同様のものでよい。更に、メモリ２１８は、需給メータ２０２（１）〜２０２（Ｎ）に関して前述したモジュールと同様に動作可能な、オペレーテイングシステム２３０、温度及び／又は電流受信モジュール２３２、相関判定モジュール２３４、及びデータ調整モジュール２３６を含むことができる。
【００３２】
任意選択として、サーバー２０６又はホストコンピュータはリムーバブル記憶媒体２３８、ノンリムーバブル記憶媒体２４０、１つ又は複数の入力デバイス２４２、及び１つ又は複数の出力デバイス２４４を含んでもよい。キーボード、マウス、ペン、音声入力デバイス、タッチ入力デバイスなどの１つ又は複数の入力デバイス２３６、及びディスプレー、スピーカ、プリンタなどの１つ又は複数の出力デバイス２３８を含んでもよい。
【００３３】
図２に示す実施形態は様々なモジュール２３２、２３４、２３６、及び需給メータ２０２（１）〜２０２（Ｎ）とは別のある種の機能性を有するサーバー２０６又はホストコンピュータを記載しているが、サーバー２０６又はホストコンピュータに関連するある種の機能性は、本開示の別の実施形態による任意の数のサーバー、プロセッサ搭載デバイス、又は需給メータ２０２（１）〜２０２（Ｎ）及びこれらの組み合わせに分散できることが理解されよう。
【００３４】
本明細書に記載の様々な命令、方法、及び技術は、１つ又は複数のコンピュータ又はその他のデバイスによって実行されるプログラムモジュールなどのコンピュータ実行可能命令の一般的な文脈で考えてもよい。一般に、プログラムモジュールは、特定のタスクを実行し、又は特定の抽象データ型を実装するためのルーチン、プログラム、オブジェクト、コンポーネント、データ構造などを含んでいる。これらのプログラムモジュールなどはネーティブコードとして実行されてもよく、又は仮想マシン又はその他の実行時コンパイル実行環境などでダウンロードされ、実行されてもよい。通常は、プログラムモジュールの機能性は様々な実施形態で所望の通りに組み合わせ、又は分散してもよい。これらのモジュール及び技術の実装は幾つかの形態のコンピュータ読み取り可能記憶媒体に保存されてもよい。
【００３５】
図１Ａ、１Ｂ及び２に示されている例示的需給メータ又は装置１００及びシステム２００は、例示目的で提示されているに過ぎない。その他の多数の装置、需給メータ、システム、動作環境、システムアーキテクチャ、及びデバイス構成が可能である。したがって、本開示の実施形態は特定の装置、需給メータ、システム、動作環境、システムアーキテクチャ、及びデバイス構成に限定されると解釈されるべきではない。図１Ａ、１Ｂ及び２に示されている実施形態は電気又は電力需給メータ用に特化されているが、本開示の別の実施形態は水道、ガス、下水道、データ及びその他の測定可能なサービスなどの別のタイプの公共事業にも適用できることが理解されよう。
【００３６】
一実施例では、例示的需給メータ又は装置１００、又は環境又はシステム２００の例は、図３に示すプロセス３００の動作のいずれか１つ、幾つか、又は全部を実行してもよい。このプロセス３００は、各々の動作がハードウエア、ソフトウエア、又はその組み合わせで実装可能な一連の動作を表している論理フローチャートとして示されている。ソフトウエアの文脈では、動作は、１つ又は複数のプロセッサによって実行されると列挙された動作を行う、１つ又は複数のコンピュータ読み取り可能記憶媒体に保存されているコンピュータ実行可能命令を表している。一般に、コンピュータ実行可能命令は、特定の機能を実行し、又は特定の抽象データ型を実装するルーチン、プログラム、オブジェクト、コンポーネント、データ調整などを含んでいる。動作の記載順序は限定的であると解釈されることを意図するものではなく、任意の数の記載した動作を任意の順序で、且つ／又は並行して組み合わせてプロセスを実装してもよい。
【００３７】
この特定の実装形態では、プロセス３００はブロック３０２で開始され、そこでプロセス３００はデバイスの第１の部分に関連する少なくとも１つの温度及び電流を受信してもよい。例えば、図２に示す実装形態では、２１０などのプロセッサ、及び／又は図２１８などの温度及び／又は電流受信モジュールは、図２の２０８（１）などの少なくとも１つのセンサを介して温度を受信し、又はその他の方法で測定することができ、電流の流れは図２の２０８（２）などの別のセンサによって受信され、又は別の方法で測定されることができ、その際、温度と電流の流れの療法は図２の２０２（１）などの需給メータ又は装置の第１の部分又は区画で測定される。
【００３８】
一実施形態では、少なくとも１つのセンサはデバイスの第１の区画内に配置される。
【００３９】
一実施形態では、デバイスは需給メータ又はエネルギメータである。
【００４０】
ブロック３０４で、プロセス３００は任意選択としてデバイスの第２の部分に関連する電流を受信することができる。例えば、図２の２１０などのプロセッサ、及び／又は図２の２０８（Ｎ）などの温度及び／又は電流受信モジュールは、任意選択として、図示した需給メータ又は装置２０２（１）の第２の部分にある２０８（Ｎ）などのセンサを介して電流の流れを受信し、又はその他の方法で測定することができる。
【００４１】
一実施形態では、デバイスの第１の部分はデバイスの第１の区画から構成され、デバイスの第２の部分はデバイスの第２の区画からなっている。
【００４２】
ブロック３０６で、プロセス３００は、デバイスの第１の部分に関連する少なくとも１つの以前に測定された温度と、デバイスの第２の部分に関連する以前に測定された温度との相関に少なくとも部分的に基づいてデバイスの第２の部分に関連する予測温度を判定することができる。例えば、図２の２１０などのプロセッサ、及び／又は図２の２２０などの相関判定モジュールは、需給メータ又は装置２０２（１）の第１の部分的に関連する少なくとも１つの以前に測定された温度と、需給メータ又は装置２０２（１）の第２の部分に関連する以前に測定された温度との相関に少なくとも部分的に基づいて、需給メータ又は装置２０２（１）の第２の部分に関連する予測温度を判定することができる。
【００４３】
一実施形態では、第１の部分に関連する少なくとも１つの以前に測定された温度と第２の部分に関連する少なくとも１つの以前に測定された温度との相関は異なる所定の時間間隔で測定される。
【００４４】
一実施形態では、相関にはそれらに限定されないが、以下の少なくとも１つ、すなわち、異なる所定の時間間隔でデバイスの第１の部分及びデバイスの第２の部分に関連する参照テーブル、グラフ、伝達関数、又は一連の温度及び電流が含まれる。
【００４５】
ブロック３０８で、プロセス３００は、予測温度に少なくとも部分的に基づいてデバイスに関連するデータ出力を調整することができる。例えば、図２の２１０などのプロセッサ、及び／又は図２の２２２などのデータ調整モジュール２２２は、需給メータ又は装置２０２（１）の第２の部分の予測温度を受信して、需給メータ又は装置２０２（１）に関連する予測温度を調整することができる。
【００４６】
一実施形態では、データ出力はエネルギ消費データを含むことができる。
【００４７】
プロセス３００は、ブロック３０８の後で終了してもよい。別のプロセスの実施形態では、より少ない、又はより多い動作が実装されてもよい。上に需給メータの例示的温度補償システム及び方法を記載した。これらのシステムの幾つか又は全部は図１〜３に示すようなアーキテクチャによって少なくとも部分的に実装されてもよいが、必ずしもその必要はない。方法のある一定の動作は記載した順序で実行される必要はなく、再構成又は修正されてもよく、且つ／又は環境によっては完全に省いてもよいことが理解されよう。更に、いずれかの方法に関する上記のどの動作も、１つ又は複数のコンピュータ読み取り可能記憶媒体に保存された命令に基づいて任意の数のプロセッサ又はその他のコンピューティングデバイスによって実装されてもよい。
【００４８】
構造的特徴及び／又は方法論に特有の言語で実施形態を記載したが、本開示は必ずしも記載の特定の特徴又は動作に限定されないことを理解されたい。むしろ、特定の特徴及び動作は実施形態を実装する例示的な形態として開示されたものである。
【符号の説明】
【００４９】
１００−需給メータ又は装置
１０２−ハウジング
１０４Ａ−部分又は区画
１０４Ｎ−部分又は区画
１０６Ａ−変流器
１０６Ｎ−変流器
１０８−温度センサ
１１０−計量モジュール
１１２−出力又はディスプレーコンポーネント
１１４−出力又はディスプレーコンポーネントの取り付け基板
１１６−温度センサ
２００−システム
２０２（１）−需給メータ
２０２（Ｎ）−需給メータ
２０４−ネットワーク
２０６−サーバー
２０８（１）−センサ
２０８（Ｎ）−センサ
２１０−プロセッサ
２１２−メモリ
２１４−通信接続（１つ又は複数）
２１６−オペレーテイングシステム
２１８−温度及び／又は電流受信モジュール
２２０−相関判定モジュール
２２２−データ調整モジュール
２２４−メモリ
２２６−プロセッサ
２２８−通信接続（１つ又は複数）
２３０−オペレーテイングシステム
２３２−温度及び／又は電流受信モジュール
２３４−相関判定モジュール
２３６−データ調整モジュール
２３８−リムーバブル記憶媒体
２４０−ノンリムーバブル記憶媒体
２４２−入力デバイス（１つ又は複数）
２４４−出力デバイス（１つ又は複数）
３００−プロセス
３０２−ブロック
３０４−ブロック
３０６−ブロック
３０８−ブロック
【図１Ａ】
2015078936.tif 000003
【図１Ｂ】
2015078936.tif 000004
【図２】
2015078936.tif 000005
【図３】
2015078936.tif 000006
【外国語明細書】
2015078936000001.pdf